(57)【要約】【課題】髭剃り時に肌に与える刺激を低減することができる振動式電気カミソリを提供する。【解決手段】駆動モータ３を有する本体１と、この本体１に着脱自在に装着され、カミソリ刃を有するカミソリ部２と、を備え、駆動モータ３によりカミソリ部２が振動するように構成された振動式電気カミソリ１０において、本体１に、マッサージ機能を有する回転ローラ（回転手段）４と、スキンケア機能を有する吸引パッド（吸引手段）５とを着脱自在に備えた構成とする。【選択図】  図１
2008093034.tif 000002
【特許請求の範囲】
【請求項１】
駆動モータを有する本体と、該本体に装着され、カミソリ刃を有するカミソリ部と、を備え、前記駆動モータにより前記カミソリ部が振動するように構成されている振動式電気カミソリにおいて、
前記本体は、マッサージ機能及びスキンケア機能の少なくとも一つを有する部材を備えていることを特徴とする振動式電気カミソリ。
【請求項２】
前記部材は、回転手段、振動手段、吸引手段、スチーム発生手段、遠赤外線発生手段、超音波発生手段、低周波発生手段、イオン発生手段、加熱手段、及び冷却手段の少なくとも一つを有することを特徴とする請求項1に記載の振動式電気カミソリ。
【請求項３】
前記部材は、着脱自在となっていることを特徴とする請求項１又は２に記載の振動式電気カミソリ。
【請求項４】
前記部材は、前記駆動モータにより駆動するように構成されていることを特徴とする請求項１から３のいずれかに記載の振動式電気カミソリ。
【発明の詳細な説明】
【技術分野】
【０００１】
本発明は、振動式電気カミソリに関するものである。
【背景技術】
【０００２】
従来、髭剃り用のカミソリとしては、把持部を有する本体にカミソリ刃を備えたカミソリ（いわゆる安全カミソリ）や、把持部を有する本体に駆動モータと外刃及び内刃とを備え、駆動モータにより外刃の内側で内刃を往復摺動させる往復式電気カミソリ（いわゆる電気シェーバ）が公知となっている。
【０００３】
ここで、安全カミソリは、電気シェーバと比べて、深剃りがしやすく、顎や頬等の傾斜がある部分も剃りやすいという利点がある一方、手動で剃らなければならないため、髭剃り時の作業性や作業効率が良好ではないという欠点があった。
【０００４】
このため、特許文献１では、把持部を有する本体に駆動モータとカミソリ刃を備え、駆動モータでカミソリ刃を振動させることにより、髭剃り時の作業性や作業効率を向上させた振動式電気カミソリが提案されている。
【特許文献１】特開２００６−５１７８２０号公報
【発明の開示】
【発明が解決しようとする課題】
【０００５】
しかしながら、上述した振動式電気カミソリにおいては、髭剃り時の作業性や作業効率を向上させつつ、深剃りが可能であることから、上述した電気シェーバや安全カミソリと比べて、肌に与える刺激が強く、髭剃り時に痛みを感じたり、肌を痛めたりするという不具合があった。
そこで、本発明は、上記事情に鑑みてなされたものであり、髭剃り時に肌に与える刺激を低減することができる振動式電気カミソリを提供することを課題としている。
【課題を解決するための手段】
【０００６】
このような課題を解決するために、本発明は、駆動モータを有する本体と、該本体に装着され、カミソリ刃を有するカミソリ部と、を備え、前記駆動モータにより前記カミソリ部が振動するように構成されている振動式電気カミソリにおいて、前記本体は、マッサージ機能及びスキンケア機能の少なくとも一つを有する部材を備えていることを特徴とする振動式電気カミソリを提供する。
【０００７】
本発明の振動式電気カミソリによれば、駆動モータを有する本体に、マッサージ機能及びスキンケア機能の少なくとも一つを有する部材を備えたことにより、髭剃り前後や髭剃り時に、スキンケアやマッサージなど肌の手入れを行なうことが可能となるため、髭剃り時に肌に与える刺激を低減することができる。
【０００８】
本発明の振動式電気カミソリにおいて、前記部材としては、回転手段、振動手段、吸引手段、スチーム発生手段、遠赤外線発生手段、超音波発生手段、低周波発生手段、イオン発生手段、加熱手段、及び冷却手段の少なくとも一つを有するものが挙げられる。
【０００９】
ここで、振動手段や回転手段を有する部材を具備した場合には、髭剃り前後や髭剃り時に、肌の血行を促進し、肌の緊張を緩和させることができるため、髭剃り時に肌に与える刺激を低減することができる。
また、吸引手段、スチーム発生手段、遠赤外線発生手段、低周波発生手段、超音波発生手段、イオン発生手段を有する部材を具備した場合には、髭剃り前後や髭剃り時に毛穴の開きを調整したり、毛穴の汚れを取ったり、肌の水分量を調整したりすることで、肌の状態を良好に保つことができるため、髭剃り時に肌に与える刺激を低減することができる。
【００１０】
さらに、加熱手段を有する部材を具備した場合には、髭剃り前後や髭剃り時に肌を温めることで、肌の緊張を緩和したり、髭を剃りやすくしたりすることができるため、髭剃り時に肌に与える刺激を低減することができる。
さらに、冷却手段を有する部材を具備した場合には、髭剃り前後や髭剃り時に肌を冷却することで、肌の感覚神経の過敏な働きを抑制したり、髭剃り後の肌の炎症を鎮静したりすることができるため、髭剃り時に肌に与える刺激を低減することができる。
【００１１】
本発明の振動式電気カミソリにおいて、前記部材は、着脱自在とする構成としてもよい。これによれば、本体に取り付ける部材の種類を使用者の要望に応じて適宜変更することが可能となるため、装置の機能性や、部材故障時の修理・取替え作業性を向上できるとともに、優れた収納性が得られる。
【００１２】
本発明の振動式電気カミソリにおいて、前記部材は、前記駆動モータにより駆動される構成としてもよい。これによれば、カミソリ刃と前記部材とが一つの駆動モータで駆動できるため、装置の小型化及び簡易化を実現することができる。
【発明の効果】
【００１３】
本発明に係る振動式電気カミソリによれば、マッサージ機能及びスキンケア機能の少なくとも一つを有する部材を備えたことにより、髭剃り時に肌に与える刺激を低減することが可能となる。
【発明を実施するための最良の形態】
【００１４】
以下、本発明の実施形態について図面を参照しながら説明する。
【００１５】
図１は、本発明に係る振動式電気カミソリの一例を示し、（ａ）は斜視図、（ｂ）は断面図である。
本実施形態における振動式電気カミソリ１０は、図１に示すように、駆動モータ３を有する円筒状の本体１と、この本体１の一端部に着脱自在に装着されるカミソリ部２と、このカミソリ部２が装着された本体１の近傍に設けられた回転ローラ（回転手段）４及び吸引パッド（吸引手段）５と、から構成されている。
【００１６】
カミソリ部２は、全体としてＴ字状をなし、本体１に着脱自在に装着される円筒状の支持部２１と、この支持部２１の先端に固定される平板状のカミソリ刃設置部２２と、から構成されている。このカミソリ刃設置部２２の一面には、カミソリ刃（安全カミソリ刃）が着脱自在に設置されている。ここで、カミソリ刃としては、公知の安全カミソリ用替え刃を用いることができる。
また、このカミソリ部２は、クランクシャフトや偏心カム等の振動装置９Ａを駆動モータ３により駆動させることで、振動するように構成されている。
【００１７】
回転ローラ４は、本体１の外周面において、カミソリ刃設置部２２におけるカミソリ刃の設置面と平行に延伸する回転軸４１と、この回転軸の両端に回転自在に設けられたローラ４２と、から構成されている。
また、この回転ローラ４は、ベルト、プーリ、歯車等の回転装置９Ｂを駆動モータ３により駆動させることで、回転するように構成されている。
【００１８】
すなわち、この回転ローラ４は、肌の表面でローラ４２を回転させることで、肌の緊張を緩和し、肌の血行を促進させるマッサージ機能を有する。
ここで、回転ローラ４によるマッサージ機能を向上させるためには、ローラ４２の表面素材をゲルマニウム、ラジウム、トルマリン、遠赤外線セラミックス、麦岩石等で構成することが好ましい。
【００１９】
吸引パッド５は、本体１の外周面において、カミソリ刃設置部２２におけるカミソリ刃の設置面とは反対側の面に突出するように取り付けられている。この吸引パッド５は、排吸気装置等の吸引装置９Ｃを駆動モータ３により駆動させることで、吸引が開始するように構成されている。
【００２０】
すなわち、この吸引パッド５は、肌の吸引を行なうことで、肌の緊張を緩和し、血行を促進させるマッサージ機能と、毛穴の汚れを除去し、肌状態を向上させるスキンケア機能を有する。
【００２１】
駆動モータ３は、本体１に装着される乾電池６で駆動するように構成されている。この駆動モータ３は、電源スイッチ７を入れた状態で、シフトレバー８を切り替えることで、駆動モータ３の位置を変位させて、カミソリ部２の振動装置９Ａ、回転ローラ４の回転装置９Ｂ、及び吸引パッド５の吸引装置９Ｃのいずれか一つを駆動させるように構成されている。これにより、カミソリ部２の振動、回転ローラ４の回転、及び吸引パッド５の吸引を、一つの駆動モータ３で別個に制御できるように構成されている。
【００２２】
ここで、シフトレバー８を切り替えることで、カミソリ部２の振動、回転ローラ４の回転、及び吸引パッド５の吸引の順番を使用者が適宜選択するようにする。例えば、髭剃り時の肌への刺激を効率よく低減するためには、回転ローラ４の回転や吸引パッド５の吸引と、カミソリ部２の振動による髭剃りと、を交互に行うことが好ましい。
【００２３】
すなわち、本実施形態における振動式電気カミソリ１０は、髭剃り前後に、回転ローラ４によるマッサージや吸引パッド５によるスキンケアが行なえるように構成されている。
【００２４】
よって、本実施形態における振動式電気カミソリ１０によれば、髭剃り前後に、肌の緊張を緩和したり、毛穴の汚れを除去したりすることができるため、髭剃り時の肌への刺激を低減させつつ、肌状態を向上させることができる。
【００２５】
また、本実施形態における振動式電気カミソリ１０によれば、回転ローラ４及び吸引パッド５を着脱自在としたことにより、使用者の要望に応じて、回転ローラ４のローラ径や吸引パッド５のパッド径を適宜変更したり、これらの部材を本体から取り外して収納・搬送したりすることができる。
【００２６】
さらに、本実施形態における振動式電気カミソリ１０によれば、回転ローラ４及び吸引パッド５の駆動を、カミソリ部２の駆動と同一の駆動モータ３で行なうようにしたため、装置の小型化及び簡易化を図ることができる。
【００２７】
さらに、本実施形態における振動式電気カミソリ１０によれば、駆動モータ３を乾電池６により駆動するようにしたため、携帯して使用することができる。
【００２８】
ここで、本実施形態では、カミソリ部２のカミソリ刃設置部２２を含む支持部２１全体を本体１に着脱自在に構成したが、これに限らず、カミソリ刃設置部２２のみを本体１に着脱自在に構成してもよい。
また、本実施形態では、回転ローラ４及び吸引パッド５を本体１に着脱自在に取り付けた構成としたが、これに限らず、回転ローラ４や吸引パッド５を本体１に固定した構成としてもよい。
【００２９】
さらに、本実施形態では、シフトレバー８を切り替えて、カミソリ部２、回転ローラ４、及び吸引パッド５のうちいずれかを単独で駆動し、一つの部材が駆動している時には、他の部材が駆動しないように構成したが、これに限らず、カミソリ部２、回転ローラ４、及び吸引パッド５を適宜組み合わせて、二以上の部材を同時に駆動させるように構成してもよい。この構成にすれば、髭剃りと同時に、回転ローラ４によるマッサージや吸引パッド５によるスキンケアを行なうことができる。
【００３０】
さらに、本実施形態では、一つの駆動モータを用いて、カミソリ部２、回転ローラ４、及び吸引パッド５の駆動を行なうようにしたが、これに限らず、複数の小型駆動モータを用いて、カミソリ部２、回転ローラ４、及び吸引パッド５をそれぞれ別の駆動モータで駆動するようにしてもよい。
但し、装置の小型化及び簡易化を実現するためには、本実施形態で示したように、一つの駆動モータ３で、カミソリ部２、回転ローラ4、及び吸引パッド５の駆動を行なうようにすることが好ましい。
【００３１】
さらに、本実施形態では、回転ローラ４及び吸引パッド５を駆動モータ３により駆動させるように構成したが、これに限らず、使用者が本体１を動かすことで、回転ローラ４の回転や吸引パッド５による吸引を手動で行なうように構成してもよい。
【００３２】
また、振動式電気カミソリ１０に外部機器への接続部を設けて、吸引機能を備える外部機器を該接続部に接続することで、吸引パッド５を駆動させるような構成とすることも可能である。
【００３３】
さらに、本実施形態では、振動式電気カミソリ１０で髭を剃る場合について説明したが、本発明の振動式電気カミソリ１０は髭剃りに限らず、毛髪や足・手等の体毛を剃る場合にも好適に用いることができる。
【００３４】
なお、本実施形態では、本発明に係る振動式電気カミソリ１０の一実施例を示したものであり、本発明に係る振動式電気カミソリの構成はこれに限らず、適宜変更可能である。
【００３５】
例えば、図２に示すように、本体１を略矩形体状に構成してもよい。また、駆動モータ３の駆動を、充電式電源装置で行なうようにしてもよいし、コンセントに接続可能な電源コードを備えた電源装置で行なうようにしてもよい。
【００３６】
また、図２に示すように、本体１に対するカミソリ部２の装着位置や、マッサージ機能やスキンケア機能を有する部材の装着位置は、適宜変更可能である。ここで、マッサージ機能やスキンケア機能を有する部材の種類としては、上述した図１に示す部材に限らず、図２に示すように、低周波発生装置を駆動させることで低周波を発生させる低周波パッド（低周波発生手段）１１や、揺動発生装置を駆動させることで揺動する揉み玉（振動手段）１２や、回転装置を駆動させることで回転する回転ブラシ（回転手段）１３を備えるようにしてもよい。
【００３７】
さらに、マッサージ機能やスキンケア機能を有する部材としては、上述した図１及び図２で示した部材に限らず、例えば、超音波発生装置を駆動させることにより超音波を発生させる超音波パッド（超音波発生手段）や、噴霧装置を駆動させることにより蒸気を発生させるスチーム発生器（スチーム発生手段）や、遠赤外線発生装置を駆動させることにより、遠赤外線を発生させる遠赤外線パッド（遠赤外線発生手段）や、イオン発生装置を駆動させることにより、イオンを発生させるイオン発生器（イオン発生手段）や、加熱装置を駆動させることで肌を温める加熱パッド（加熱手段）や、冷却装置を駆動させることにより、肌を冷却する冷却パッド（冷却手段）を備えるようにしてもよい。
【００３８】
またさらに、上記各手段について、前記吸引パッド５におけるのと同様、振動式電気カミソリ１０に外部機器への接続部を設けて、各種機能を備える外部機器を該接続部に接続することで、各手段を機能させる構成とすることも可能である。
【図面の簡単な説明】
【００３９】
【図１】本発明に係る振動式電気カミソリの一例を示し、（ａ）は斜視図、（ｂ）は断面図である。
【図２】本発明に係る振動式電気カミソリの他の例を示す斜視図である。
【符号の説明】
【００４０】
１      本体
２      カミソリ部
３      駆動モータ
４      回転ローラ（回転手段）
５      吸引パッド（吸引手段）
６      乾電池
７      電源スイッチ
８      シフトレバー
９Ａ    振動装置
９Ｂ    回転装置
９Ｃ    吸引装置
１０      振動式電気カミソリ
【図１】
2008093034.tif 000003
【図２】
2008093034.tif 000004